(57)【特許請求の範囲】
【請求項１】
周縁部に立ち上げられたスカート部(1) を有し且つ、少なくとも二対づつのオイルおよび冷却水の流通孔(2) (3) を平面に互いに離間してなる、多数の皿状プレート(4) が同一向きに積層されてなり、
その皿状プレート(4) の間にオイル流路(5) と冷却水流路(6) とが交互に形成されてなる積層型オイルクーラにおいて、
夫々の皿状プレート(4) は、同一形状に形成されると共に、前記スカート部(1) はその開口側直径が拡開するように形成されてなり、
夫々の皿状プレート(4) は、芯材(4a)の両面にろう材(4b)がクラッドされた三層構造からなると共に、その両面のろう材中に耐蝕用のＺｎを３％〜５重量％含むものが用いられ、夫々の皿状プレート(4) を同一方向に積層して、それらの接触部間が前記ろう材(4b)によりろう付け固定されてなることを特徴とするアルミニューム製積層型オイルクーラ。
【請求項２】
請求項１において、
前記皿状プレート(4) の平面外周が円形に形成され、その平面の同一半径上で互いに９０度離間して４つの前記流通孔(2) (3) が形成されると共に、一つおきの該流通孔(2) のみの孔縁部が前記スカート部(1) 側に凹陥した環状凹陥部(2a)を有してなり、
積層方向の隣り合う皿状プレート(4) は、互いに９０度周方向に回転された位置にあり、前記環状凹陥部(2a)の孔縁がそれに対抗する皿状プレート(4) の流通孔(3) の孔縁に接合されてなるアルミニューム製積層型オイルクーラ。
【発明の詳細な説明】
【０００１】
【発明の属する技術分野】
本発明は、いわゆるハウジングレス型のアルミニューム製積層型オイルクーラであって、多数の皿状プレートを積層してオイル流路と冷却水流路とが交互に形成されたものに関し、より詳しくは冷却水流路の耐蝕性を確保すると共に、部品点数を少なくしたものに関する。
【０００２】
【従来の技術】
ハウジングレスのアルミニューム製積層型オイルクーラは多数提案されており、一例して特開平５−１８９０号が存在する。この積層型オイルクーラは、夫々皿状の第１プレートと第２プレートとを有し、第１プレートは周縁が下向きに配置され、第２プレートは周縁が上向きに配置されるようにして交互に積層され、第１プレートと第２プレートとの間に冷却水流路とオイル流路とを交互に配置する。そして冷却水流路側において、第１プレートの下面側に犠牲腐蝕層を設けると共に、第２プレートの上面側においても犠牲腐蝕層を設けて、耐蝕性を確保していた。そして夫々のプレートは、芯材に対して犠牲腐蝕層と反対側にろう材が被覆されたものが用いられていた。そしてこのろう材により、第１プレートどうし及び第１プレートと第２プレートとの間を一体にろう付け固定したものである。
【０００３】
【発明が解決しようとする課題】
前記のアルミニューム製積層型オイルクーラは、冷却水流路に接する第１プレートの表面と第２プレートの表面とに夫々犠牲腐蝕層を設けると共に、それと反対側にろう材を設け、各プレート間をろう付けするので、第１プレートの形状と第２プレートの形状を別々にする必要があった。そのため部品点数が増えると共に、プレートの積層方向を互いに逆向きに積層するため、その組立てが面倒であった。
そこで本発明は、全く同一のプレートを同一方向に積層して且つ、冷却水流路の耐蝕性を増すと共に、ろう付け性を確保したアルミニューム製積層型オイルクーラを提供することを課題とする。
【０００４】
【課題を解決するための手段】
請求項１に記載の本発明は、周縁部に立ち上げられたスカート部(1) を有し且つ、少なくとも二対づつのオイルおよび冷却水の流通孔(2) (3) を平面に互いに離間してなる、多数の皿状プレート(4) が同一向きに積層されてなり、
その皿状プレート(4) の間にオイル流路(5) と冷却水流路(6) とが交互に形成されてなる積層型オイルクーラにおいて、
夫々の皿状プレート(4) は、同一形状に形成されると共に、前記スカート部(1) はその開口側直径が拡開するように形成されてなり、
夫々の皿状プレート(4) は、芯材(4a)の両面にろう材(4b)がクラッドされた三層構造からなると共に、その両面のろう材中に耐蝕用のＺｎを３％〜５重量％含むものが用いられ、夫々の皿状プレート(4) を同一方向に積層して、それらの接触部間が前記ろう材(4b)によりろう付け固定されてなることを特徴とするアルミニューム製積層型オイルクーラ。
【０００５】
請求項２に記載の本発明は、請求項１において、
前記皿状プレート(4) の平面外周が円形に形成され、その平面の同一半径上で互いに９０度離間して４つの前記流通孔(2) (3) が形成されると共に、一つおきの該流通孔(2) のみの孔縁部が前記スカート部(1) 側に凹陥した環状凹陥部(2a)を有してなり、
積層方向の隣り合う皿状プレート(4) は、互いに９０度周方向に回転された位置にあり、前記環状凹陥部(2a)の孔縁がそれに対抗する皿状プレート(4) の流通孔(3) の孔縁に接合されてなるアルミニューム製積層型オイルクーラである。
【０００６】
【発明の実施の形態】
次に、図面に基づいて本発明の実施の形態につき説明する。
図１は、本発明のアルミニューム製積層型オイルクーラの要部縦断面図であって、図２のＩ部拡大図である。また、図２はその積層型オイルクーラの縦断面図であって図３においてII−II線上で切断したものである。さらに図３はその積層型オイルクーラの分解斜視図である。
【０００７】
このアルミニューム製積層型オイルクーラは図２及び図３に示す如く、多数の平面円板状の同一形状を有する皿状プレート４と、その積層方向上端に配置される上端プレート９と下端に配置される下端プレート10および、インナーフィン11とを有する。夫々の皿状プレート４は平面外周が円形に形成され、その平面の同一半径上で互いに９０度離間して４つの流通孔２，流通孔３が形成されると共に、一つおきの流通孔２のみの孔縁部が内面側に凹陥した環状凹陥部２ａを有してなる。
また、皿状プレート４の周縁部は立ち下げられると共に、その開口側の直径が拡開するように形成されたスカート部１を有する。
【０００８】
なお、上端プレート９も皿状プレート４と略同一形状に形成されている。また、上端プレート９と皿状プレート４との間及び各皿状プレート４間には、図３に示すインナーフィン11が介装される。そのインナーフィン11の外周は、夫々皿状プレート４の内周に略整合すると共に、その流通孔２，流通孔３よりも僅かに大なる孔が穿設されている。
このインナーフィン11は、多数の切り起こしが形成されているオフセット型フィン（マルチエントリー型フィンともいう）で形成され、半径方向及び周方向の何れの方向にも流体が流通できるように形成されている。
【０００９】
次に皿状プレート４はアルミニューム板からなり、図１の如くその芯材４ａの両面にろう材４ｂがクラッドされると共に、そのろう材中にはＺｎを３％〜５重量％含むものが用いられている。それにより、各皿状プレート４間のろう付け接合と冷却水流路の耐蝕性とを兼ね備えものである。このＺｎの３％〜５重量％の含有は、ろう付け温度において冷却水側表面にＺｎ層を設け、耐孔蝕性を与えるものである。そして下限以下ではその効果が顕著ではなく、また上限以上となると自己腐蝕が大きくなり熱伝達率が低下するので好ましくない。
【００１０】
芯材４ａは、具体的にはＡ１０５０のようなＪＩＳ１０００系を用いることができる。また、Ａ３００３，Ａ３２０３等のＪＩＳ３０００系を用いてもよい。さらにはＡ６００３その他を使用することもできる。
ろう材４ｂとしては、Ｓｉが７．５％〜１０重量％を含み、Ｍｇが０．６％〜３重量％含むと共に、前記の如くＺｎが３％〜５重量％含み、残部はＡｌである。
なお、この例では上端プレート９もその下面側には皿状プレート４と同様にろう材中にＺｎが３％〜５重量％含まれるものを用いる。また、芯材はＪＩＳ１０００系或いはＪＩＳ３０００系の合金を用い、上面側には通常のろう材であるＸ４０００系を用いれば足りる。
【００１１】
このようにしてなる上端プレート９，皿状プレート４は、図３に示す如くその流通孔２及び流通孔３の直下に、対向する皿状プレート４をそれから９０度回転させた流通孔３と流通孔２とが整合するように、一枚おきに皿状プレート４を９０度づつ回転させて積層すると共に、各皿状プレート４間及び皿状プレート４と上端プレート９間にインナーフィン11が介装される。
また、上端プレート９の一方の一対の流通孔３には冷却水パイプ８が挿通され、他方の一対の流通孔２にはオイルパイプ７が挿通される。さらに最下端に位置する下端プレート10は、図２の如く孔の穿設されないものが用いられる。
【００１２】
而して、図２の如く組み立てた状態で全体を高温の炉内に挿入し、被覆されたろう材を溶融し、次いでそれを冷却固化することにより、各部品の接触部間を互いにろう付け固定するものである。
なお、一方の皿状プレート４の環状凹陥部２ａは、対向する皿状プレート４の流通孔３に図１及び図２の如く着座し、ろう付けによりそれらの間が液密にろう付け固定される。
また、各皿状プレート４のスカート部１の内外面は隣接する皿状プレート４どうしで液密に接合される。
さらには上端プレート９と冷却水パイプ８及びオイルパイプ７との間は、それらの環状膨出部と液密に接合される。
【００１３】
このようにして組立てられたオイルクーラは、皿状プレート４の間にオイル流路５と冷却水流路６とが交互に形成される。そして一方の冷却水パイプ８から各冷却水流路６内に冷却水が流通し、他方の冷却水パイプ８よりそれが流出される。また、一方のオイルパイプ７からは各オイル流路５内にオイルが流通し、他方のオイルパイプ７からそれが流出される。そして冷却水とオイルとの間に熱交換が行なわれるものである。
【００１４】
【発明の作用・効果】
本発明のアルミニューム製積層型オイルクーラによれば、同一形状の皿状プレート４を同一方向に積層して、皿状プレート４の間にオイル流路５と冷却水流路６とを交互に形成したものであり、夫々の皿状プレート４は芯材４ａの両面にろう材４ｂがクラッドされると共に、そのろう材中にＺｎを３％〜５重量％含むものが用いられ、各皿状プレート４の接触部間がそのろう材４ｂによりろう付け固定されたものである。
【００１５】
従って、冷却水流路６において積層方向上側の皿状プレート４の下面と、下側の皿状プレート４の上面とに夫々Ｚｎが３％〜５重量％含まれることになり、それによって水側の耐蝕性を確保することができる。即ち、冷却水流路６の冷却水に接する表面層のみがＺｎの存在により、芯材に対して卑となり表面層のみが犠牲溶解し横に広く浅い面腐蝕となり芯材の腐蝕を防止する。
しかも本発明のアルミニューム製積層型オイルクーラは、同一形状に形成された皿状プレート４を使用するため、部品点数が少なく組立て易く低コスト化を図ることができる。
【図面の簡単な説明】
【図１】本発明のアルミニューム製積層型オイルクーラの要部縦断面図であって、ろう付け前の状態を示し、図２のＩ部拡大図。
【図２】本発明のアルミニューム製積層型オイルクーラの縦断面図であって、図３においてII−II線上で切断したもの。
【図３】本発明のアルミニューム製積層型オイルクーラの分解斜視図。
【符号の説明】
１  スカート部
２  流通孔
２ａ  環状凹陥部
３  流通孔
４  皿状プレート
４ａ  芯材
４ｂ  ろう材
５  オイル流路
６  冷却水流路
７  オイルパイプ
８  冷却水パイプ
９  上端プレート
10  下端プレート
11  インナーフィン
【図１】
0003852047.tif 000002
【図２】
0003852047.tif 000003
【図３】
0003852047.tif 000004